(57)【要約】【課題】コンパクト化が図れる照明器具を提案する。【解決手段】照明器具１は、前壁２０を有する箱型の器具本体２と、器具本体２に設置され、前壁２０の前方に向けて照明光を放射する光源ユニット３と、前壁２０に設置されて周囲の状況を検出するセンサ４と、を備える。照明器具１は、センサ４の検出結果に応じて光源ユニット３を制御する制御装置５を更に備える。制御装置５は、センサ４の後方に位置するように、器具本体２に収容されている。【選択図】図２
2020173996.tif 000002
【特許請求の範囲】
【請求項１】
前壁を有する箱型の器具本体と、
前記器具本体に設置され、前記前壁の前方に向けて照明光を放射する光源ユニットと、
前記前壁に設置されて周囲の状況を検出するセンサと、
前記センサの検出結果に応じて前記光源ユニットを制御する制御装置と、を備え、
前記制御装置は、前記センサの後方に位置するように、前記器具本体に収容されている、
照明器具。
【請求項２】
前記センサは、センサケースを有し、
前記センサケースの下面は、後側の部分ほど上方に位置し、
前記下面の下方には、前記センサと前記制御装置とを接続する電線が通る配線スペースが形成される、
請求項１に記載の照明器具。
【請求項３】
前記前壁に設けられた設置孔内に前記センサを設置するための設置具を備え、
前記制御装置は、制御ケースを有し、
前記設置具は、前記制御ケースに沿うように曲がった板状の部材である、
請求項１又は２に記載の照明器具。
【請求項４】
前記設置具は、
前記センサが有するセンサケースに沿い、前記センサケースが取り付けられる板状の取付部と、
前記制御ケースに沿った板状の中間部と、
前記器具本体が有する後壁に固定される板状の固定部と、を含む、
請求項３に記載の照明器具。
【請求項５】
前記センサは前記光源ユニットの上方に位置する、
請求項１から４のいずれか一項に記載の照明器具。
【請求項６】
常用電源から供給される常用電力で前記光源ユニットを点灯させる常用点灯装置と、
前記常用電力で充電される非常用電源と、
前記常用電源の停電時に前記非常用電源から供給される非常用電力で点灯する非常用光源ユニットと、を備え、
前記常用点灯装置、前記非常用電源及び前記非常用光源ユニットは、前記制御装置に対して上下方向にずれて位置するように、前記器具本体に収容されている、
請求項１から５のいずれか一項に記載の照明器具。
【請求項７】
前記非常用光源ユニットは、前記器具本体の下面から前記器具本体の下方に向けて照明光を放射するように構成される、
請求項６に記載の照明器具。
【請求項８】
前記器具本体の前記前壁の前方に設けられ、前記器具本体の前方から見て前記光源ユニット及び前記センサを覆うカバーを備える、
請求項１から７のいずれか一項に記載の照明器具。
【発明の詳細な説明】
【技術分野】
【０００１】
本開示は、照明器具に関する。
【背景技術】
【０００２】
特許文献１には、照明器具が記載されている。この照明器具は、左右方向に長尺な箱型の器具本体と、器具本体に取り付けられる光源ユニットと、人を検知するセンサと、センサから出力される人検知信号に応じて光源ユニットを制御する制御ユニットと、を備える。センサは、器具本体の下面の左右方向の中央部に、下方に突出するように取り付けられており、制御ユニットは、左右方向においてセンサに対してずれて位置するように、器具本体に収容されている。
【先行技術文献】
【特許文献】
【０００３】
【特許文献１】特開２０１７−２０１６１４号公報
【発明の概要】
【発明が解決しようとする課題】
【０００４】
ところで、特許文献１に記載の照明器具では、センサと制御ユニットとが左右方向にずれて位置するため、照明器具のコンパクト化を図る点で、改善の余地があった。
【０００５】
上記事情に鑑みて、コンパクト化が図れる照明器具を提案することを、目的とする。
【課題を解決するための手段】
【０００６】
本開示に係る一態様の照明器具は、前壁を有する箱型の器具本体と、前記器具本体に設置され、前記前壁の前方に向けて照明光を放射する光源ユニットと、前記前壁に設置されて周囲の状況を検出するセンサと、を備える。一態様の照明器具は、前記センサの検出結果に応じて前記光源ユニットを制御する制御装置を更に備える。前記制御装置は、前記センサの後方に位置するように、前記器具本体に収容されている。
【発明の効果】
【０００７】
本開示に係る一態様の照明器具は、コンパクト化が図れる。
【図面の簡単な説明】
【０００８】
【図１】図１は、一実施形態の照明器具を示す斜視図である。
【図２】図２は、同上の照明器具を示す側断面図である。
【図３】図３は、同上の照明器具のカバーを付け外しする様子を示す斜視図である。
【図４】図４は、同上の照明器具の器具本体の前壁を取り外した状態における斜視図である。
【図５】図５は、図４のＡ−Ａ線における断面図である。
【図６】図６は、同上の照明器具の設置具を示す斜視図である。
【図７】図７は、同上の照明器具の変形例を示す斜視図である。
【図８】図８は、同上の照明器具の変形例を示す下面図である。
【発明を実施するための形態】
【０００９】
１．概要
図１及び図２に示す一実施形態の照明器具１は、前壁２０を有する箱型の器具本体２と、器具本体２に設置され、前壁２０の前方に向けて照明光を放射する光源ユニット３と、前壁２０に設置されて周囲の状況を検出するセンサ４と、を備える。照明器具１は、センサ４の検出結果に応じて光源ユニット３を制御する制御装置５を更に備える。制御装置５は、センサ４の後方に位置するように、器具本体２に収容されている。
【００１０】
上記構成を備えることで、照明器具１では、センサ４と制御装置５が前後に並んで位置するため、これらの装置４，５が左右方向にずれて位置する場合に比べて、照明器具１を左右方向にコンパクトに設けることができ、照明器具１のコンパクト化が図れる。
【００１１】
２．詳細
続いて、一実施形態の照明器具１について更に詳しく説明する。図１及び図２に示す照明器具１は、非常灯及び階段通路誘導灯を兼用する照明器具である。照明器具１は、例えば、集合住宅の共用部の廊下や、階段の踊り場に設置される。ただし、照明器具１は、非常灯及び階段通路誘導灯を兼用する照明器具に限定されない。
【００１２】
以下では、図１に矢印で示す前後、上下及び左右方向を用いて、照明器具１の各構成について説明する。照明器具１は、器具本体２の後面が建物の壁側を向くように、壁に取り付けられる。
【００１３】
照明器具１は、図１及び図２に示すように、器具本体２、光源ユニット３、センサ４、及び制御装置５に加えて、設置具６、カバー７、拡散部材８、常用点灯装置９、非常用電源１０、非常用光源ユニット１１、及び非常用点灯装置１２を備える。
【００１４】
器具本体２は、正方形板状の前壁２０及び後壁２１と、長方形板状の上壁２２、下壁２３、左右一対の側壁２４とを有している。後壁２１の上端から上壁２２が前方に突出し、後壁２１の下端から下壁２３が前方に突出し、後壁２１の左端と右端のそれぞれから側壁２４が前方に突出している。上壁２２の左右両端と左右一対の側壁２４の上端とがつながっており、下壁２３の左右両端と左右一対の側壁２４の下端とがつながっている。後壁２１、上壁２２、下壁２３、及び左右一対の側壁２４は、例えば、一枚の金属板によって一体に形成される。後壁２１の後面（器具本体２の後面）は、建物の壁側を向く面である。
【００１５】
図３及び図４に示すように、左右一対の側壁２４のそれぞれの前端部には、左右方向内側に突出した突出片２４０と、突出片２４０の一部から前側にＬ字状に突出した複数（本実施形態では三つ）の取付台２４１とが設けられている。
【００１６】
前壁２０は、前壁２０の上部を前後方向に貫通する設置孔２００を有する。設置孔２００は、前壁２０の上部のうち左右方向の中央部に位置する。前壁２０は、例えば、金属板で形成される。
【００１７】
図３に示すように、前壁２０は、左右一対の取付台２４１にねじ等の固定具（図示せず）で固定されることで、後壁２１、上壁２２、下壁２３、及び左右一対の側壁２４によって囲まれた空間（器具本体２の内部空間）の前方に配置される。前壁２０の左右の端部と左右一対の突出片２４０との間には、器具本体２へのカバー７の取り付けに用いられる差込溝２５が形成されている。差込溝２５は、左右方向外側と上側に向けて開放されている。
【００１８】
カバー７は、器具本体２の前壁２０の前方に設けられ、器具本体２の前方から見て光源ユニット３及びセンサ４を覆う。
【００１９】
詳しくは、カバー７は、正方形状の前板７０と、長方形状の左右一対の側板７１とを有する。カバー７は、前板７０の上端部と左右一対の側板７１の上端部とで囲まれた上開口部７２と、前板７０の下端部と左右一対の側板７１の下端部とで囲まれた下開口部７３とを有する。
【００２０】
左右一対の側板７１は、前板７０の左右の端部から後方に突出している。左右一対の側板７１のそれぞれの後端からは、左右方向内側に向かって差込片７１０が突出している。カバー７は、左右一対の差込片７１０を、器具本体２の左右一対の差込溝２５に上方から差し込むことで、器具本体２に着脱可能に装着される。
【００２１】
カバー７は、センサ４の電波を透過可能な材料で形成されている。本実施形態では、カバー７は、アクリル樹脂又はポリカーボネート樹脂等の合成樹脂によって形成されており、透光性を有している。そのため、カバー７は、光源ユニット３から放射される光が透過可能である。なお、カバー７は、上記の合成樹脂に拡散材を混入したもので形成されてもよい。
【００２２】
図２に示すように、光源ユニット３は、光源３０と、光源３０から放射される光の配光を制御するレンズ３１を有する。光源３０は、例えば、照明用白色ＬＥＤ（Ｌｉｇｈｔ  Ｅｍｉｔｔｉｎｇ  Ｄｉｏｄｅ）である。レンズ３１は、透光性を有する材料で形成される。レンズ３１は、例えば、ガラス（石英ガラス等）で形成される。なお、レンズ３１は、ポリカーボネート樹脂又はアクリル樹脂等の合成樹脂で形成されてもよい。光源ユニット３は、図１及び図２に示すように、器具本体２の前壁２０の前面の中央部に取り付けられる。
【００２３】
拡散部材８は、光源ユニット３の前方に設けられて光源ユニット３が放射する照明光を拡散させる部材である。拡散部材８は、本実施形態では、器具本体２の前壁２０から前方に向けて突出し、かつ後方に向けて開口したドーム状に形成されている。
【００２４】
詳しくは、拡散部材８は、ドーム状の本体部８０と、円環状のフランジ部８１とを有する。本体部８０は、中空の半球状体であり、前方に突出し、後方に開口している。本体部８０は、光源ユニット３を覆い隠すことの可能な大きさに形成されている。フランジ部８１は、本体部８０の後端部の周縁から外向きに突出している。
【００２５】
拡散部材８は、アクリル樹脂又はポリカーボネート樹脂等の透光性を有する合成樹脂に拡散材を混入して形成されている。拡散部材８は、フランジ部８１をねじ等の固定具８２で前壁２０に固定することで、前壁２０の前面の中央部に取り付けられる。拡散部材８のフランジ部８１の上端は、設置孔２００に隣接して位置する。
【００２６】
光源３０から放射される光は、レンズ３１によって配光制御されて、器具本体２の前方に向かって上下及び左右方向に広がるように進行する。レンズ３１から出射する光は、拡散部材８によって拡散され、これにより、拡散部材８から出射する光の均斉度の向上が図られる。
【００２７】
光源ユニット３の光源３０には、常用点灯装置９が電気的に接続される。常用点灯装置９は、商用の電力系統等の常用電源から供給される常用電力で光源ユニット３の光源３０を点灯させる。
【００２８】
常用点灯装置９は、ケース９０とその内側に収容されるプリント回路とを有する。プリント回路は、常用電源から供給される交流電力を直流電力に変換する電力変換回路、及び光源３０に供給する直流電流を定電流化する定電流回路等を構成している。常用点灯装置９は、前壁２０の後面にねじ等の固定具９１で取り付けられる。図４に示すように、常用点灯装置９は、前壁２０の後面のうち、設置孔２００に対して左右方向にずれた位置に取り付けられている。常用点灯装置９は、設置孔２００よりも下方に配置されている。図２に示すように、常用点灯装置９は、制御装置５に対して上下方向にずれて位置するように、器具本体２内に収容される。本実施形態では、常用点灯装置９は、センサ４及び制御装置５よりも下方に配置されている。
【００２９】
非常用光源ユニット１１は、器具本体２の下面から器具本体２の下方に向けて照明光を放射するように構成されている。
【００３０】
非常用光源ユニット１１は、光源１１０と、光源１１０から放射される光の配光を制御するレンズ１１１を有する。光源１１０は、例えば、照明用白色ＬＥＤである。非常用光源ユニット１１は、器具本体２の下壁２３に取り付けられる。図１及び図２に示すように、下壁２３の下面の中央部には、器具本体２の内部に向かって（つまり上方に向かって）凹んだ凹所２３０が設けられている。凹所２３０の底面２３１には、円形の孔２３２が貫通している。凹所２３０の側面２３３は、円すい台の側面に相当する形状に形成されている。
【００３１】
レンズ１１１は、透光性を有する材料で形成される。レンズ１１１は、例えば、ガラス（石英ガラス等）で形成される。なお、レンズ１１１は、ポリカーボネート樹脂又はアクリル樹脂等の合成樹脂で形成されてもよい。非常用光源ユニット１１は、レンズ１１１の一部（下部）が孔２３２を通って器具本体２の外側（下側）に突出するように、下壁２３に取り付けられている。レンズ１１１から出射する光の一部は、凹所２３０の側面２３３によって反射される。
【００３２】
非常用光源ユニット１１の光源１１０には、非常用点灯装置１２が電気的に接続される。
【００３３】
図４に示す非常用電源１０は、電気的に直列接続された複数の電池セルを有する。複数の電池セルの各々は、例えば、ニッケル・水素蓄電池である。非常用電源１０には、充電装置が電気的に接続されている。充電装置は、常用電源から供給される交流電力を直流電力に変換し、変換した直流電力を非常用電源１０に供給する。つまり、非常用電源１０は、常用電源から供給される常用電力で充填される。
【００３４】
非常用電源１０は、制御装置５に対して上下方向にずれて位置するように、器具本体２内に収容されている。本実施形態では、非常用電源１０は、センサ４及び制御装置５よりも下方に位置するように、器具本体２の後壁２１の下部の前面に固定されている。
【００３５】
非常用点灯装置１２は、常用電源の停電時に、非常用電源１０から供給される非常用電力（直流電力）によって非常用光源ユニット１１を点灯させる。言い換えると、非常用光源ユニット１１は、常用電源の停電時に、非常用電源１０から供給される非常用電力（直流電力）で点灯する。非常用点灯装置１２は、制御装置５に対して上下方向にずれて位置するように、器具本体２内に収容されている。本実施形態では、非常用点灯装置１２は、センサ４及び制御装置５よりも下方に位置するように、器具本体２の後壁２１の下部の前面に固定されている。非常用電源１０と非常用点灯装置１２は、左右方向に間隔をおいて位置する。
【００３６】
図２及び図４に示すセンサ４は、電波を利用して周囲の状況を検出するセンサである。センサ４は、周囲の状況として人の存在を検出する人感センサである。
【００３７】
センサ４は、例えば、ドップラー効果を利用した電波式センサである。センサ４は、マイクロ波帯（２４ＧＨｚ帯）の無変調連続波の電波（送信波）を送信する送信アンテナと、物体に反射した電波（反射波）を受信する受信アンテナと、を有する。送信波が人で反射した場合、ドップラー効果によって送信波と反射波の間に人の移動速度に応じた周波数差が生じる。センサ４は、前記周波数差に基づいて人（例えば階段を昇降する人）の存在を検出する。センサ４は、人の存在を検出しているときに制御装置５に検出信号を出力する。なお、センサ４は、周波数変調された送信波を送信アンテナから送信させ、受信アンテナで受信する受信波と送信波を乗算して位相検波することにより、送信波を反射した物体までの距離を測距して人の存在を検出するセンサであってもよい。
【００３８】
センサ４は、センサケース４０と、センサケース４０に収容されるセンサ本体４１と、を有する。センサ本体４１は、送信アンテナ、受信アンテナ及び信号処理回路を含む。センサ本体４１は、送信アンテナ、受信アンテナ及び信号処理回路が１枚のプリント配線板に実装されたプリント回路で構成される。
【００３９】
センサケース４０は、直方体状の箱型であり、例えば、ポリスチレン、ポリプロピレン、ＡＢＳ（Ａｃｒｙｌｏｎｉｔｒｉｌｅ  Ｂｕｔａｄｉｅｎｅ  Ｓｔｙｒｅｎｅ）等の合成樹脂材料によって形成されている。センサ本体４１は、送信アンテナ及び受信アンテナがセンサケース４０の前面４００側を向くようにセンサケース４０内に収容されている。送信アンテナから送信される電波は、センサケース４０の前面４００を通して放射され、物体に反射した電波（反射波）は、センサケース４０の前面４００を通して受信アンテナに受信される。
【００４０】
センサ４は、センサケース４０の前面４００を含む前部分が、器具本体２の前壁２０から前方に突出するように、前壁２０の設置孔２００内に設置されている。センサ４の設置には、設置具６が用いられる。
【００４１】
センサ４の前部分（センサケース４０の前面４００を含む前部分）は、拡散部材８よりも上方に配置されている。本実施形態では、センサ４は、センサケース４０の前面４００が、下側の部分ほど後方に位置するように、前壁２０に対して傾いた姿勢で、前壁２０に対して設置されている。言い換えると、センサケース４０の前面４００は、拡散部材８に近い部分ほど前壁２０からの突出長さが小さい。センサ４の前端（前面４００の上端）は、拡散部材８の前端よりも後方に位置している。センサ４のセンサケース４０の前面４００は、拡散部材８に隣接して位置している。
【００４２】
制御装置５は、センサ４の検出結果に応じて光源ユニット３を制御する。制御装置５は、センサ４が人の存在を検出していないときに光源３０から放射する照明光の光量を基準値よりも小さくし、かつ、センサ４が人の存在を検出しているときに照明光の光量を前記基準値に一致させるように光源ユニット３を制御する。
【００４３】
制御装置５は、制御ケース５０と、制御ケース５０に収容される制御回路５１とを有する。制御ケース５０は、左右方向に長尺な直方体状の箱体である。制御回路５１は、例えば、マイクロコントローラである。
【００４４】
制御装置５は、センサ４から検出信号が入力されていない場合、常用点灯装置９を制御して光源３０に供給する電流を定格値の約半分とし、センサ４から検出信号が入力されている場合、常用点灯装置９を制御して光源３０に供給する電流を定格値とする。したがって、本実施形態では、光源３０から放射する光の光量は、センサ４が人の存在を検出していないとき、センサ４が人の存在を検出しているときの約半分となる。
【００４５】
制御装置５は、器具本体２の後壁２１の前面の上部に、ねじ等の固定具５２で固定されている。
【００４６】
設置具６は、図５に示すように、器具本体２の前壁２０に設けられた設置孔２００にセンサ４を設置するための部材である。設置具６は、制御ケース５０に沿うように曲がった板状の部材である。
【００４７】
詳しくは、設置具６は、センサケース４０に沿い、センサケース４０が取り付けられる板状の取付部６０と、制御ケース５０に沿った板状の中間部６１と、器具本体２の後壁２１に固定される板状の固定部６２と、を含む。
【００４８】
図５及び図６に示すように、取付部６０は、矩形板状であり、下側の部分ほど後方に位置するように傾いている。取付部６０には、センサケース４０の後面から後方に突出する一対の爪４２を差し込むための一対の差込孔６００が形成されている。取付部６０の下端に、中間部６１の上端がつながっている。
【００４９】
中間部６１は、制御ケース５０の前面に沿う矩形板状の縦板部６１０と、縦板部６１０の下端から後方に延び、制御ケース５０の下面に沿う矩形板状の横板部６１１とを有する。縦板部６１０と横板部６１１とはＬ字状につながっている。縦板部６１０の上端が、取付部６０の下端につながっている。取付部６０は、縦板部６１０に対して傾いている。
【００５０】
縦板部６１０の左右方向の一部には、前方に突出するように折れ曲がった形状の引掛け部６１２が形成されている。本実施形態では、縦板部６１０には、二つの引掛け部６１２が左右方向に距離をおいて設けられている。二つの引掛け部６１２のそれぞれは、器具本体２内に電線を結束する結束バンド等を引っ掛ける部分として用いられる。
【００５１】
横板部６１１の前部の左右方向の一部には、下方に突出するように折れ曲がった形状の取付台６１３が形成されている。取付台６１３には、端子台１３から上方に突出した一対の爪１３０を挿入可能な一対の挿入孔６１４が設けられている。横板部６１１の後端に、固定部６２の上端がつながっている。
【００５２】
固定部６２は、矩形板状である。固定部６２には、固定部６２を器具本体２の後壁２１に対して固定するねじ等の固定具６３（図４参照）が通される左右一対の貫通孔６２０が設けられている。器具本体２の後壁２１には、左右一対の貫通孔６２０に対応する部分に、ねじ孔２１０が設けられている。
【００５３】
設置具６は、取付部６０にセンサケース４０の爪４２を引っ掛けて取り付け、中間部６１を制御ケース５０の前面及び下面に沿わせ、固定部６２を前側から固定具６３で後壁２１に固定することで、センサ４を前下がりの姿勢で保持する。この状態で、器具本体２の左右の取付台２４１に対して前壁２０を取り付けることで、センサ４が前壁２０の設置孔２００内に設置される。
【００５４】
センサ４が前壁２０に対して設置された状態で、センサケース４０の下面４０１は、後側の部分ほど上方に位置する。下面４０１の下方には、センサ４と制御装置５とを電気的に接続する電線４５（図４参照）が通される配線スペースＳ１が形成される。センサ４は、光源ユニット３よりも上方に位置する。
【００５５】
照明器具１は、後壁２１のうち、制御装置５と非常用点灯装置１２の間の部分と、制御装置５と非常用電源１０の間の部分に取り付けられる複数の端子台１４を更に備える。複数の端子台１４は、照明器具１が備える各種の装置同士の電気的な接続や、常用電源と各種の装置との電気的な接続に用いられる。
【００５６】
３．作用効果
以上説明した本実施形態の照明器具１では、センサ４と制御装置５とが前後に並んで位置する。そのため、本実施形態の照明器具１では、センサ４と制御装置５とが左右方向にずれて配置される場合に比べて、器具本体２を左右方向にコンパクトに設けることができ、照明器具１のコンパクト化が図れる。
【００５７】
また、本実施形態の照明器具１では、センサ４と制御装置５とが前後に並んで位置することで、センサ４と制御装置５とを接続する電線４５の長さを抑えることができ、器具本体２内の電線４５の配置スペースを抑えることができる。
【００５８】
また、本実施形態の照明器具１では、センサ４のセンサケース４０を傾けて設置することで、センサケース４０の下面４０１の下方に、配線スペースＳ１を形成することができ、この配線スペースＳ１を電線４５が通るスペースとして有効に活用することができる。
【００５９】
また、本実施形態の照明器具１では、設置具６を、センサケース４０と制御ケース５０と後壁２１のそれぞれに沿うように曲がった板状の部材で構成することで、器具本体２内の設置具６の設置スペースを抑えることができる。
【００６０】
また、本実施形態の照明器具１では、制御ケース５０に沿う部分（中間部６１）を有する設置具６にセンサケース４０を取り付けることで、センサ４と制御装置５とのブロック化が図れて、センサ４を所定位置（設置孔２００内）に位置決めしやすい。
【００６１】
また、本実施形態の照明器具１では、器具本体２の前壁２０のうち設置孔２００から左右方向にずれた位置に常用点灯装置９を取り付けることで、センサ４の側方のスペースを、常用点灯装置９の上端に接続される電線の配線スペースとして利用することができる。
【００６２】
また、本実施形態の照明器具１では、センサ４の後部を器具本体２内に配置することで、センサ４の前壁２０からの突出長さを抑えることができ、光源ユニット３の照射範囲にセンサ４が入り込みにくい。
【００６３】
また、本実施形態の照明器具１では、器具本体２を左右方向にコンパクトに設けることができるため、器具本体２の前壁２０を覆うように装着されるカバー７も左右方向にコンパクトに設けることができる。
【００６４】
また、本実施形態の照明器具１では、センサケース４０の前面４００が拡散部材８に近い部分ほど前壁２０からの突出長さが小さいため、センサ４を拡散部材８に極力近付けて配置することができ、照明器具１の上下方向のコンパクト化が図れる。
【００６５】
また、本実施形態の照明器具１では、制御装置５の下方に、非常用電源１０、非常用点灯装置１２、及び非常用光源ユニット１１が位置している。そのため、本実施形態の照明器具１では、非常用電源１０、非常用点灯装置１２、及び非常用光源ユニット１１を備えることによって器具本体２が左右方向に長くなることを、抑えることができる。
【００６６】
４．変形例
以上説明した本実施形態の照明器具１は、下記の変形例を採用可能である。
【００６７】
カバー７は、図１に示す形状に限らず、例えば、図７及び図８に示す変形例のように、前板７０のみで構成してもよく、つまり、正方形の板状に形成されてもよい。この場合、カバー７は、二つの支持部１５によって器具本体２に取り付けられる。
【００６８】
二つの支持部１５の各々は、台形状の支持片１５０と、支持片１５０の前端から突出する取付片１５１と、支持片１５０の後端から突出して器具本体２に固定される固定片１５２とを有する。
【００６９】
前壁２０の左右の端部には、固定片１５２が挿入される挿入孔２０１が形成されている。二つの支持部１５は、左右一対の固定片１５２を前壁２０の左右一対の挿入孔２０１に前側から挿入して、ねじ等の固定具によって左右一対の固定片１５２を器具本体２に固定することで、器具本体２に対して取り付けられる。各支持部１５は、前壁２０の左右両端における上下方向の中央部から支持片１５０及び取付片１５１が器具本体２の前方へ突出する。
【００７０】
各取付片１５１には、後側からボルト（図示せず）が取り付けられている。カバー７の左右両端部のそれぞれには、留め具１６が通される貫通孔７００が形成されている。カバー７の各貫通孔７００に留め具１６を挿入した状態で、各取付片１５１に後側からボルトを取り付けて、各ボルトを各留め具１６に固定することで、カバー７は二つの支持部１５で支持される。
【００７１】
変形例の照明器具１では、カバー７は、器具本体２と間に、上下及び左右の各方向に開口した４つの開口部７４を形成する。光源ユニット３から放射される照明光は、カバー７と４つの開口部７４のそれぞれから出射される。
【００７２】
変形例の照明器具１においても、センサ４と制御装置５が前後に並んで位置するため、器具本体２を左右方向にコンパクトに設けることができて、照明器具１のコンパクト化が図れる。
【００７３】
また、本実施形態及びその変形例の照明器具１は、下記の変形例を採用可能である。
【００７４】
センサ４は、センサケース４０の下面４０１が後側の部分ほど上方に位置するように、傾けて設置なくてもよく、例えば、センサケース４０の下面４０１が水平方向に対して平行となるように設置してもよい。
【００７５】
設置具６は、図５等に示すような制御ケース５０に沿うように曲がった板状の部材に限らず、制御ケース５０に沿う部分を有さなくてもよく、センサ４を器具本体２の前壁２０や上壁２２に対して固定するものであってもよい。
【００７６】
照明器具１は、非常時に点灯するための各装置１０，１１，１２を備えなくてもよい。
【００７７】
照明器具１は、カバー７を備えなくてもよい。
【００７８】
センサ４は、周囲の状況として人を検出するものに限らず、周囲の状況として明るさ等を検出するものであってもよい。
【００７９】
照明器具１は、器具本体２の後面が建物の壁側を向くように、壁に取り付けられる利用形態に限定されない。例えば、照明器具１は、器具本体２の後面が天井側（つまり上方）を向くように、天井に取り付けられてもよいし、その他の形態で、建物に対して取り付けられてもよい。
【００８０】
５．まとめ
以上説明した一実施形態及びその変形例の照明器具１のように、第一態様の照明器具（１）は、下記の構成を備える。
【００８１】
すなわち、第一態様の照明器具（１）は、前壁（２０）を有する箱型の器具本体（２）と、器具本体（２）に設置され、前壁（２０）の前方に向けて照明光を放射する光源ユニット（３）と、前壁（２０）に設置されて周囲の状況を検出するセンサ（４）とを備える。第一態様の照明器具（１）は、センサ（４）の検出結果に応じて光源ユニット（３）を制御する制御装置（５）を更に備える。制御装置（５）は、センサ（４）の後方に位置するように、器具本体（２）に収容されている。
【００８２】
上記構成を備えることで、第一態様の照明器具（１）では、センサ（４）と制御装置（５）が前後に並んで位置するため、これらの装置（４，５）が左右方向にずれて位置する場合に比べて、器具本体（２）を左右方向にコンパクトに設けることができる。これにより、第一態様の照明器具（１）では、照明器具（１）のコンパクト化が図れる。
【００８３】
また、上述した一実施形態及びその変形例の照明器具１のように、第二態様の照明器具（１）は、第一態様の照明器具（１）の構成に加えて、下記の構成を付加的に備える。
【００８４】
すなわち、第二態様の照明器具（１）では、センサ（４）は、センサケース（４０）を有する。センサケース（４０）の下面（４０１）は、後側の部分ほど上方に位置する。下面（４０１）の下方には、センサ（４）と制御装置（５）とを接続する電線（４５）が通る配線スペース（Ｓ１）が形成される。
【００８５】
上記構成を備えることで、第二態様の照明器具（１）では、センサケース（４０）の下面（４０１）が後側の部分ほど上方に位置することによって形成される下方のスペースを、電線（４５）を通す配線スペース（Ｓ１）として有効に利用することができる。
【００８６】
また、上述した一実施形態及びその変形例の照明器具１のように、第三態様の照明器具（１）は、第一又は第二態様の照明器具（１）の構成に加えて、下記の構成を付加的に備える。
【００８７】
すなわち、第三態様の照明器具（１）は、前壁（２０）に設けられた設置孔（２００）内にセンサ（４）を設置するための設置具（６）を備える。制御装置（５）は、制御ケース（５０）を有する。設置具（６）は、制御ケース（５０）に沿うように曲がった板状の部材である。
【００８８】
上記構成を備えることで、第三態様の照明器具（１）では、器具本体（２）内における設置具（６）の配置スペースを抑えることができる。
【００８９】
また、上述した一実施形態及びその変形例の照明器具１のように、第四態様の照明器具（１）は、第三態様の照明器具（１）の構成に加えて、下記の構成を付加的に備える。
【００９０】
すなわち、第四態様の照明器具（１）では、設置具（６）は、センサ（４）が有するセンサケース（４０）に沿い、センサケース（４０）が取り付けられる板状の取付部（６０）と、制御ケース（５０）に沿った板状の中間部（６１）と、を含む。設置具（６）は、器具本体（２）が有する後壁（２１）に固定される板状の固定部（６２）を更に含む。
【００９１】
上記構成を備えることで、第四態様の照明器具（１）では、設置具（６）がセンサケース（４０）、制御ケース（５０）及器具本体（２）の後壁（２１）のそれぞれに沿うため、器具本体（２）内における設置具（６）の配置スペースを極力抑えることができる。
【００９２】
また、上述した一実施形態及びその変形例の照明器具１のように、第五態様の照明器具（１）は、第一から第四態様のいずれか一つの照明器具（１）の構成に加えて、下記の構成を付加的に備える。
【００９３】
すなわち、第五態様の照明器具（１）では、センサ（４）は光源ユニット（３）の上方に位置する。
【００９４】
上記構成を備えることで、第五態様の照明器具（１）では、器具本体（２）内において、光源ユニット（３）を点灯させるための装置（常用点灯装置９）と制御装置（５）とが左右方向に並ぶことを抑制できる。これにより、第五態様の照明器具（１）では、器具本体（２）を左右方向にコンパクトに設けることができる。
【００９５】
また、上述した一実施形態及びその変形例の照明器具１のように、第六態様の照明器具（１）は、第一から第五態様のいずれか一つの照明器具（１）の構成に加えて、下記の構成を付加的に備える。
【００９６】
すなわち、第六態様の照明器具（１）は、常用電源から供給される常用電力で光源ユニット（３）を点灯させる常用点灯装置（９）と、常用電力で充電される非常用電源（１０）と、を備える。第六態様の照明器具（１）は、常用電源の停電時に非常用電源（１０）から供給される非常用電力で点灯する非常用光源ユニット（１１）を更に備える。常用点灯装置（９）、非常用電源（１０）及び非常用光源ユニット（１１）は、制御装置（５）に対して上下方向にずれて位置するように器具本体（２）に収容されている。
【００９７】
上記構成を備えることで、第六態様の照明器具（１）では、停電時も点灯可能な非常灯として利用できる。また、第六態様の照明器具（１）では、各装置（９，１０，１１）は、制御装置（５）に対して上下方向にずれて位置するように器具本体（２）に収容されているため、器具本体２を左右方向にコンパクトに設けることができる。
【００９８】
また、上述した一実施形態及びその変形例の照明器具１のように、第七態様の照明器具（１）は、第六態様の照明器具（１）の構成に加えて、下記の構成を付加的に備える。
【００９９】
すなわち、第七態様の照明器具（１）は、非常用光源ユニット（１１）は、器具本体（２）の下面から器具本体（２）の下方に向けて照明光を放射するように構成される。
【０１００】
上記構成を備えることで、第七態様の照明器具（１）では、非常用光源ユニット（１１）と、非常用光源ユニット（１１）を点灯させるための各装置（１０，１２）を器具本体（２）の下側のスペースにまとめて配置することができる。これにより、第七態様の照明器具（１）では、器具本体（２）の上側のスペースに制御装置（５）を配置でき、制御装置（５）と各装置（１０，１１，１２）が左右方向に並ぶことを抑制できて、器具本体（２）を左右方向にコンパクトに設けることができる。
【０１０１】
また、上述した一実施形態及びその変形例の照明器具１のように、第八態様の照明器具（１）は、第一から第七態様のいずれか一つの照明器具（１）の構成に加えて、下記の構成を付加的に備える。
【０１０２】
すなわち、第八態様の照明器具（１）は、器具本体（２）の前壁（２０）の前方に設けられ、器具本体（２）の前方から見て光源ユニット（３）及びセンサ（４）を覆うカバー（７）を備える。
【０１０３】
上記構成を備えることで、第八態様の照明器具（１）では、器具本体（２）の左右方向のコンパクト化に伴って、器具本体（２）の前壁（２０）の前方に設けるカバー（７）の左右方向のコンパクト化も図れ、照明器具（１）のコンパクト化が図りやすい。
【０１０４】
以上、本開示を添付図面に示す実施形態に基づいて説明したが、本開示は上記の実施形態に限定されるものではなく、本開示の意図する範囲内であれば、適宜の設計変更が可能である。
【符号の説明】
【０１０５】
１      照明器具
２      器具本体
２０    前壁
２００  設置孔
２１    後壁
３      光源ユニット
４      センサ
４０    センサケース
４０１  下面
５      制御装置
５０    制御ケース
６      設置具
６０    取付部
６１    中間部
６２    固定部
７      カバー
９      常用点灯装置
１０    非常用電源
１１    非常用光源ユニット
Ｓ１    配線スペース
【図１】
2020173996.tif 000003
【図２】
2020173996.tif 000004
【図３】
2020173996.tif 000005
【図４】
2020173996.tif 000006
【図５】
2020173996.tif 000007
【図６】
2020173996.tif 000008
【図７】
2020173996.tif 000009
【図８】
2020173996.tif 000010